(57)【要約】      （修正有）【課題】加熱によるやけど、眩しさによる転倒及び美観の損失を総合的に解消することのできる避難器具用ハッチを提供する。【解決手段】スラブに固定される金属製の本体枠２と、本体枠２の上部に開閉可能に設けられた金属製の上蓋４と、本体枠２の下部に開閉可能に設けられた金属製の下蓋６と、上蓋４のうちの本体枠２からみて外側の表面を覆う上側被覆層と、下蓋６のうちの前記本体枠２からみて外側の表面を覆う下側被覆層と、を具備すること、を特徴とする避難器具用ハッチ１。【選択図】図１
0003209557.tif 000002
【実用新案登録請求の範囲】
【請求項１】
スラブに固定される金属製の本体枠と、
前記本体枠の上部に開閉可能に設けられた金属製の上蓋と、
前記本体枠の下部に開閉可能に設けられた金属製の下蓋と、
前記上蓋のうちの前記本体枠からみて外側の表面を覆う上側被覆層と、
前記下蓋のうちの前記本体枠からみて外側の表面を覆う下側被覆層と、
を具備すること、を特徴とする避難器具用ハッチ。
【請求項２】
前記上側被覆層及び前記下側被覆層が断熱性被覆層であること、を特徴とする請求項１に記載の避難器具用ハッチ。
【請求項３】
前記上側被覆層及び前記下側被覆層がそれぞれ独立して塗膜又はシールで構成されていること、を特徴とする請求項１又は２に記載の避難器具用ハッチ。
【考案の詳細な説明】
【技術分野】
【０００１】
本考案は、例えば床やベランダのスラブに設置される避難器具用ハッチに関する。
【背景技術】
【０００２】
避難器具用ハッチは、煙が恐ろしい火災時等に安全に避難できる避難はしごを収納するものであり、中高層ビルのベランダ等に設置されるものである。従来のものとして、例えば特許文献１（特開２０１６−７７７１７号公報）には、スラブに固定され上部及び下部が開口する本体と、開口した前記上部を開閉可能な上蓋とを有する避難用ハッチが開示されている。
【０００３】
この避難器具用ハッチにおいては、上蓋が一般的にはステンレス鋼製であることから、直射日光等でその表面が加熱し、触れた際にやけどをしたりするおそれがある。例えば、子供が興味本位で上蓋に乗ったり上蓋を開けたりした場合に起こることが多く、対策は取扱説明書への記載のみで、特に講じられていなかった。
【０００４】
また、日光が反射して眩しさで足元が見えず転倒してしまうおそれもあり、ステンレス鋼製の地肌部分が、当該避難器具用ハッチが設置されているベランダ等の場所の美観を損ねてしまうおそれもある。
【先行技術文献】
【特許文献】
【０００５】
【特許文献１】特開２０１６−７７７１７号公報
【考案の概要】
【考案が解決しようとする課題】
【０００６】
しかしながら、上記のような取扱説明書への記載のみでは、取扱説明書の紛失や、部屋の所有者全員が見られない等の理由により、直射日光に起因する問題を根本的に解決することはできていない。また、反射の眩しさによる転倒を防止し、ベランダ等の美観を損なわないという要望にも、対応できていないのが実情である。
【０００７】
そこで、本考案の目的は、加熱によるやけど、眩しさによる転倒及び美観の損失を総合的に解消することのできる避難器具用ハッチを提供することにある。
【課題を解決するための手段】
【０００８】
上記の課題を解決すべく、本考案は、
前記本体枠２の上部に開閉可能に設けられた金属製の上蓋４と、
前記本体枠２の下部に開閉可能に設けられた金属製の下蓋６と、
前記上蓋４のうちの前記本体枠２からみて外側の表面を覆う上側被覆層４ａと、
前記下蓋６のうちの前記本体枠２からみて外側の表面を覆う下側被覆層６ａと、
を具備すること、を特徴とする避難器具用ハッチ１、
を提供する。
【０００９】
上記のような構成を有する本考案の避難器具用ハッチ１においては、金属製の上蓋４のうちのユーザーから見える外表面に上側被覆層４ａが設けられているとともに、金属製の下蓋６のうちのユーザーから見える外表面に下側被覆層６ａが設けられていることから、これら上蓋４及び下蓋６の加熱によるやけど、眩しさによる転倒及び美観の損失を総合的に解消できる。
【００１０】
上記の本考案の避難器具用ハッチ１においては、前記上側被覆層４ａ及び前記下側被覆層６ａが断熱性被覆層であること、が好ましい。
【００１１】
上記のような構成を有する本考案の避難器具用ハッチ１においては、上側被覆層４ａ及び下側被覆層６ａが断熱性を有することから、これら上蓋４及び下蓋６の加熱によるやけどをより確実に解消できる。
【００１２】
上記の本考案の避難器具用ハッチ１においては、前記上側被覆層４ａ及び前記下側被覆層６ａがそれぞれ独立して塗膜又はシールで構成されていること、が好ましい。
【００１３】
上記のような構成を有する本考案の避難器具用ハッチ１においては、上側被覆層４ａ及び下側被覆層６ａが塗膜又はシールで構成されているため、簡便な方法で儲けることができる。
【考案の効果】
【００１４】
上記のような構成の本考案の避難器具用ハッチによれば、加熱によるやけど、眩しさによる転倒及び美観の損失を総合的に解消できる。
【図面の簡単な説明】
【００１５】
【図１】本考案の避難器具用ハッチの一実施形態の概略斜視図である。
【図２】図１に示す避難器具用ハッチのＡ−Ａ線概略断面図である。
【考案を実施するための形態】
【００１６】
以下、本考案の避難器具用ハッチの一実施形態について、図面を参照しつつ詳細に説明する。なお、本考案はこれら図面に限定されるものではなく、また、図面は、本考案を概念的に説明するためのものであるから、理解容易のために、必要に応じて寸法、比又は数を誇張又は簡略化して表している場合もある。
【００１７】
図１及び図２を参照して、避難器具用ハッチ１の構成を説明する。図１は、本考案の避難器具用ハッチ１の概略斜視図であり、図２は、図１に示す避難器具用ハッチ１のＡ−Ａ線概略断面図である。
【００１８】
本実施形態の避難器具用ハッチ１は、例えば高層建築物のベランダやバルコニーなどの床面に設置されるものであり、火災などの緊急時に折り畳み式の梯子を階下に伸長させる避難装置である。
【００１９】
この避難器具用ハッチ１は、図１に示すように、全体として箱型を呈しており、スラブに固定される金属（例えばステンレス鋼）製の本体枠２と、本体枠２の上部に開閉可能に設けられた金属（例えばステンレス鋼）製の上蓋４と、本体枠２の下部に開閉可能に設けられた金属（例えばステンレス鋼）製の下蓋６と、で構成されている。
【００２０】
本体枠２は、梯子及び連結機構（図示せず）を収納する枠体である。本体枠２は、互いに対向する２組の周壁から構成され、鉛直上向き及び鉛直下向きに開口している。なお、梯子は、本体枠２内に折り畳まれた状態で収納され、上蓋４及び下蓋６が開かれると階下に向かって伸長するものであり、連結機構は、上蓋４と下蓋６とを連結している。
【００２１】
上蓋４は、本体枠２の上側の開口部を開閉可能に覆う金属製蓋体であり、下蓋６は、本体枠２の下側の開口部を覆う蓋体であり、いずれも軸（図示せず）を介して本体枠２に取り付けられている。
【００２２】
ここで、本実施形態の避難器具用ハッチ１は、図２に示すように、上蓋４のうちの本体枠２からみて外側の表面を覆う上側被覆層４ａと、下蓋６のうちの本体枠２からみて外側の表面を覆う下側被覆層６ａと、を具備している点を特徴としている。
【００２３】
即ち、上蓋４は、上側被覆層４ａと金属（ステンレス鋼）製の上蓋基部４ｂとで構成されており、下蓋６は、下側被覆層６ａと金属（ステンレス鋼）製の下蓋基部４ａとで構成されている。
【００２４】
これらの上側被覆層４ａ及び下側被覆層６ａは、断熱性被覆層である塗膜又はシールで  構成されており、上蓋基部４ｂ及び下蓋基部４ａにおいて通常露出しているステンレス鋼等の金属の地肌部分を覆っているため、加熱によるやけどや眩しさによる転倒を確実に防止することができる。
【００２５】
また、上側被覆層４ａ及び下側被覆層６ａは、それぞれ塗膜又はシールのいずれの場合であってもよく、適宜着色や印字されていることによって、デザイン性に優れ、良好な美観を発揮することができる。また、上側被覆層４ａ及び下側被覆層６ａをそれぞれ床面及び天井面と同系色にすることで、避難器具用ハッチ１を設置環境と調和させることが可能となる。なお、塗膜の形成方法は、刷毛塗りやディッピング等の従来公知の方法を使用すればよい。
【００２６】
なお、図１において、上蓋４の外表面の略中心には、銘板としてのシール８が貼付されている。このシール８としては、未使用時には剥離紙に貼着されており、一方の面が粘着面であり他方の面が露出面である従来公知のシールを用いればよい。
【００２７】
以上、本発明の代表的な実施形態について説明したが、本発明はこれらに限定されるものではなく、種々の設計変更が可能であり、それらも本発明に含まれる。
例えば、本実施形態では、被覆層を上蓋基部及び下蓋基部の表面上に設けたが、被覆層は、本体枠におけるスラブからの露出部分や、本体枠の外表面の全体に設けられてもよい。これにより、日光の照射による避難器具用ハッチの加熱や照返しを更に抑制することが可能となる。
【符号の説明】
【００２８】
１・・・避難器具用ハッチ、
２・・・本体枠、
４・・・上蓋、
４ａ・・・上側被覆層、
４ｂ・・・上蓋基材、
６・・・下蓋、
６ａ・・・下側被覆層、
６ｂ・・・下蓋基材、
８・・・銘板。
【図１】
0003209557.tif 000003
【図２】
0003209557.tif 000004